(57)【要約】【課題】簡単な操作で蓋の開閉が可能で、爪が折れることのない信頼性の高い蓋開閉装置の提供を目的とする。【解決手段】蓋開閉装置は、蓋閉状態では開閉釦１２１の回転軸体突起１２３は外部筐体１０２の突起１０７と蓋１１１の平坦部１１５で狭持されるため、蓋１１１は外部からの力では回動できず、蓋閉状態を維持する。開閉釦１２１をコイルばね１３１の付勢に反する方向に移動させると開閉釦１２１の回転軸体突起１２３は外部筐体１０２の突起１０７から外れ、回転軸体突起１２３より大径の凹部１０８の上に移動するため蓋１１１は回転軸１４１を中心に回動することが可能になる。蓋全開状態では開閉釦１２１の回転軸体突起１２３の側面は凹部１０８の側壁に設けた立壁傾斜凹部１０９に落ち込み、コイルばね１３１により凹部１０９に付勢拘束される。【選択図】図２
2011204977.tif 000002
【特許請求の範囲】
【請求項１】
開口部を有する筐体と、
回転軸を中心に回動し、前記開口部を塞ぐ蓋と、
前記蓋と回動中心が同軸で、軸方向に移動可能な開閉釦と、
前記開閉釦を一方向に付勢するコイルばねと、
を備える蓋開閉装置。
【請求項２】
前記開閉釦は、
前記蓋に構成した穴に挿入する回転軸体を備え、
前記蓋の回転軸を前記回転軸体に挿入することで、前記蓋と前記開閉釦とを同期回動させる
請求項１に記載の蓋開閉装置。
【請求項３】
前記回転軸体に突起を、前記蓋の回転軸体に平坦部を、前記筐体に突起を備え、
前記回転軸体の突起を、前記蓋の平坦部と前記筐体の突起とで挟持することで前記蓋の回動を拘束する
請求項１又は２に記載の蓋開閉装置。
【請求項４】
前記筐体は、
前記突起の側面を壁とし、前記開閉釦の回転軸体の突起より大径の凹部を備え、
前記開閉釦の突起が前記筐体の凹部の方向に平行移動することで、前記蓋の回動を可能にする
請求項３に記載の蓋開閉装置。
【請求項５】
前記筐体は、
蓋開状態で、前記開閉釦の突起が当接する突起側面で、前記コイルばねにより不勢される面に凹部と斜面を備え、蓋開状態を前記コイルばねの付勢力で拘束する
請求項３又は４に記載の蓋開閉装置。
【発明の詳細な説明】
【技術分野】
【０００１】
本発明は、筐体に形成されている開口部を、一端がシャフトによって筐体に支持され、蓋が回動することで開口部を開口または閉口させる蓋開閉装置に関するものである。
【背景技術】
【０００２】
近年、画像録画機器などの各種電子機器には、記録媒体を機器内へ装着させるためのスロットを搭載している機器が多い。例えば、特許文献１には、ビデオカメラ内部に、メモリーカードなどの記録媒体を装着可能なスロットを配置し、スロットを覆い隠す蓋装置が搭載されている。このように、記録媒体が装着されるスロットを覆い隠す構成にすることで、スロットへ異物が侵入するのを防いだり、機器動作中に誤って記録媒体を離脱してしまうことを防いだりすることができる。
【０００３】
以下、従来の蓋開閉装置について特許文献１を引用し説明する。
【０００４】
図４は、蓋開閉装置が搭載されているビデオカメラの外観構成を示す斜視図である。図５は蓋開閉装置の拡大図である。図６は蓋開閉装置の部品構成展開図である。図７Ａから図７Ｃは蓋開閉装置の動作を示す断面図である。
【０００５】
図６で、筐体１には記録媒体が装着されるスロット部１１が設けられ、蓋２と蓋２を開方向に付勢するねじりばね３が軸４で回動するように筐体１に固定されている。図７Ａは蓋閉状態の断面図で、蓋２には筐体１に設けた係合穴１２に係合する爪２１が、側壁面２２には軸４が通り、蓋の平行移動を可能にする長穴２２１が設けてあり、筐体１の係合穴１２に蓋２の爪２１を挿入することで蓋２は筐体１に係止する。このとき、ねじりばね３は軸４で圧縮されている。図７Ｂは、蓋閉状態から蓋開状態に移行する途中の断面図で、蓋２を矢印Ａ方向に移動させると、筐体１の係合穴１２から蓋２の爪２１がはずれ、蓋２は軸４を中心に回動可能になる。図７Ｃは、蓋開状態の断面図で軸４は、ねじりばね３の付勢力により蓋開状態に係止する。
【先行技術文献】
【特許文献】
【０００６】
【特許文献１】特開２００７−１７３４７３号公報
【発明の概要】
【発明が解決しようとする課題】
【０００７】
しかしながら、上記従来の構成では、人の手に触れ易い蓋の先端に係合爪があるため、爪が折れ易いという課題を有していた。
【課題を解決するための手段】
【０００８】
上記従来の課題を解決するために、本発明の蓋開閉装置は、開口部を有する筐体と、回転軸を中心に回動し、前記開口部を塞ぐ蓋と、前記蓋と回動中心が同軸で、軸方向に移動可能な開閉釦と、前記開閉釦を一方向に付勢するコイルばねと、を備える。
【発明の効果】
【０００９】
本発明の蓋開閉装置によれば、簡単な操作で蓋の開閉が可能で、爪が折れることのない信頼性の高い蓋開閉装置ができる。
【図面の簡単な説明】
【００１０】
【図１】実施の形態１におけるＳＤカードメモリー搭載機器上の蓋開閉装置の部品構成展開図
【図２】実施の形態１における蓋開閉装置の主要部断面詳細図
【図３Ａ】実施の形態１における蓋開閉装置の動作を示す断面図
【図３Ｂ】実施の形態１における蓋開閉装置の動作を示す断面図
【図３Ｃ】実施の形態１における蓋開閉装置の動作を示す断面図
【図３Ｄ】実施の形態１における蓋開閉装置の動作を示す断面図
【図４】従来の蓋開閉装置が搭載されているビデオカメラの外観構成を示す斜視図
【図５】従来の蓋開閉装置部の拡大図
【図６】従来の蓋開閉装置の部品構成展開図
【図７Ａ】従来の蓋開閉装置の動作を示す断面図
【図７Ｂ】従来の蓋開閉装置の動作を示す断面図
【図７Ｃ】従来の蓋開閉装置の動作を示す断面図
【発明を実施するための形態】
【００１１】
以下本発明を実施するための形態について、図面を参照しながら説明する。
【００１２】
（実施の形態１）
図１は、本実施の形態における蓋開閉装置をＳＤカードメモリー搭載機器で実施した場合の部品構成展開図を示す。図２は、図１の蓋開閉装置の主要部断面詳細図を示す。図３Ａから図３Ｄは、図１の蓋開閉装置の動作を示す断面図である。図１から図３において、搭載機器本体の説明は省略する。
【００１３】
図１、図２において、筐体１０１は、搭載機器（不図示）の外部に露出する外部筐体１０２と内部に収納される内部筐体１０３が樹脂の射出成型で一体に形成されている。外部筐体１０２には、ＳＤカードメモリー（不図示）の挿入口１０４と蓋収納部１０５、軸孔１０６、突起１０７、及び突起１０７の側面を壁とする開閉釦の回転軸体突起１２３（図２で明示）より大径の凹部１０８が形成されている。開閉釦１２１の片端に設けた中空の回転軸体１２２は平坦部１１５（図２で明示）を有した蓋１１１の釦座１１２の中央に穿った貫通孔１１３を通りコイルばね１３１と共に蓋１１１の中空の回転軸体１１４に回転軸１４１を挿入することで一体化される。釦座１１２は開閉釦１２１の平坦部１１５（図２で明示）がスライドする量より若干大きく窪ませている。
【００１４】
開閉釦１２１の指座１２４に指を置き、矢印Ａ方向にスライドさせることで開閉釦１２１は蓋１１１の釦座１１２の範囲の中でコイルばね１３１に付勢された状態で左右に移動することが可能になる。この状態で回転軸１４１の先端を筐体１０１の軸孔１０６に挿入し、固定金具１５１の爪１５２で係止する。固定金具１５１と電子基板１６１は螺子１７１で筐体１０１に螺合される。図２において、外部筐体１０２の突起１０７と凹部１０８で構成される側壁には、立壁傾斜凹部１０９を設けている（図２で明示）。
【００１５】
以下、図３Ａから図３Ｄを用い、実施の形態１における蓋開閉装置の動作を説明する。
【００１６】
図３Ａは蓋閉状態の断面図である。開閉釦１２１はコイルばね１３１（不図示）により蓋１１１の釦座１１２の片端に付勢配置される。この状態では開閉釦１２１の回転軸体突起１２３は外部筐体１０２の突起１０７と蓋１１１の平坦部１１５で挟持されるため、蓋１１１は外部からの力では回動できず、蓋閉状態を維持する。
【００１７】
図３Ｂは蓋１１１の回動を可能にする動作を表す断面図である。開閉釦１２１の平坦部１２４に指（不図示）の腹を乗せ、コイルばね１３１（不図示）の付勢に反する白矢印Ｂ方向に開閉釦１２１を移動する。この状態では開閉釦１２１の回転軸体突起１２３は外部筐体１０２の突起１０７から外れ、回転軸体突起１２３より大径の凹部１０８の上に移動するため、蓋１１１は回転軸１４１を中心に黒矢印Ｃ方向に回動することが可能になる。
【００１８】
図３Ｃは蓋開途中の動作を示す断面図である。開閉釦１２１の回転軸体突起１２３の側面はコイルばね１３１（不図示）により凹部１０８の側面に付勢されるため、回転軸体突起１２３の側面と凹部１０８の側面の摩擦により適度の回転抵抗が発生する。この状態で指を開閉釦１２１から離しても、その位置は保持されると共に、蓋の回動に粘性を与え高級感を得ることができる。
【００１９】
図３Ｄは蓋全開状態を示す断面図である。開閉釦１２１の回転軸体突起１２３の側面は凹部１０８の側壁に設けた立壁傾斜凹部１０９に落ち込み、コイルばね１３１（不図示）により凹部１０９に付勢拘束される。この状態では、蓋１１１に振動等が加わっても蓋１１１の回転力がコイルばね１３１（不図示）の付勢力が加わった立壁傾斜凹部１０９からの脱出力を超える荷重が加わらない限り蓋開状態を維持する。
【００２０】
かかる構成によれば、蓋の回動を拘束する手段を手の触れにくい回転軸近傍に構成できることにより、爪が折れることのない信頼性の高い蓋開閉装置ができる。
【産業上の利用可能性】
【００２１】
本実施の形態にかかる蓋開閉装置によれば、簡単な操作で蓋の開閉が可能で、爪が折れることのない信頼性の高い蓋開閉装置を提供することができ、ビデオカメラやデジタルスチルカメラ等の撮像装置をはじめ、種々の電子機器に適用することができ、有用である。
【符号の説明】
【００２２】
１  筐体
１１  スロット部
１２  係合穴
２  蓋
２１  爪
２２  側壁面
２２１  長穴
３  ねじりばね
４  軸
１０１  筐体
１０２  外部筐体
１０３  内部筐体
１０４  ＳＤカードメモリー挿入口
１０５  蓋収納部
１０６  軸孔
１０７  突起
１０８  凹部
１０９  立壁傾斜凹部
１１１  蓋
１１２  釦座
１１３  貫通孔
１１４  中空の回転軸体
１２１  開閉釦
１２２  中空の回転軸体
１２３  回転軸体突起
１２４  指座
１３１  コイルばね
１４１  回転軸
１５１  固定金具
１５２  爪
１６１  電子基板
１７１  螺子
【図１】
2011204977.tif 000003
【図２】
2011204977.tif 000004
【図３Ａ】
2011204977.tif 000005
【図３Ｂ】
2011204977.tif 000006
【図３Ｃ】
2011204977.tif 000007
【図３Ｄ】
2011204977.tif 000008
【図４】
2011204977.tif 000009
【図５】
2011204977.tif 000010
【図６】
2011204977.tif 000011
【図７Ａ】
2011204977.tif 000012
【図７Ｂ】
2011204977.tif 000013
【図７Ｃ】
2011204977.tif 000014